(57)【特許請求の範囲】
【請求項１】
周方向の一部にケーブルを通し得る開口幅の切欠部が形成された周壁部に結合する支持壁を有する複数個のケーブル挿通ユニットと、これらケーブル挿通ユニットを連結するための複数個の連結具とを備え、前記ケーブル挿通ユニットは前記支持壁の一側上部と他側下部とに連結孔を有し、前記連結具は上下端に前記連通孔を通過し通過後拡張して抜止めとなる弾性係止片を有してなり、上位のケーブル挿通ユニットの下部の連結孔と下位のケーブル挿通ユニットの上部の連結孔とが同位相になるよう互い違いにして前記連結具により連結したことを特徴とするケーブルガイド。
【請求項２】
前記ケーブル挿通ユニットの周壁部の下端が下位のケーブル挿通ユニットの周壁部の上端内に嵌合するようテーパーが付されている請求項１記載のケーブルガイド。
【請求項３】
前記連結孔は外端に向け拡開するテーパー孔とされ、前記連結具の傾きを許容するようにされている請求項１または２記載のケーブルガイド。
【請求項４】
最上位のケーブル挿通ユニットに連結する連結具の上端に連結され、テーブル下面の係止部に係合し得るフックユニットを有している請求項１〜３のいずれか１項記載のケーブルガイド。
【請求項５】
最下位のケーブル挿通ユニットに連結する連結具の下端に連結され、床面上に定置される端末ユニットを有している請求項１〜４のいずれか１項記載のケーブルガイド。
【発明の詳細な説明】
【０００１】
【発明の属する技術分野】
本発明はテーブル上で使用するＯＡ機器のケーブルを集束して床上へ導くためのケーブルガイドに関する。
【０００２】
【従来の技術】
近時、日常の業務としてデスク（テーブル）上でパソコン等のＯＡ機器を使用する頻度が高まっており、これらＯＡ機器への電力の供給は床下に配線された給電ケーブルのコンセントにＯＡ機器のケーブルのプラグを挿着することによっている。
【０００３】
上記のようなＯＡ機器の使用形態においては、複数本のケーブルを床上まで導くときケーブルが錯綜して煩雑になり、オフィスの景観も損なうことから、従来では軟質なプラスチック等からなるフレキシブルチューブ内にケーブルをまとめて挿通し、このチューブをテーブルの下面に取付けて支持するようになされている。
【０００４】
【発明が解決しようとする課題】
しかるに上記のようにフレキシブルチューブ内にケーブルを挿通させることはきわめて面倒であり、ＯＡ機器の種類や台数が増えると一層煩雑となってケーブルの取扱いが容易でないものとなる。
【０００５】
本発明は、テーブル上で使用されるＯＡ機器のケーブルを容易に集束して床上へ導くことができ、外観上も優れたものとすることができるケーブルガイドを提供することを課題としてなされたものである。
【０００６】
【課題を解決するための手段】
上記課題を解決する手段として本発明は、周方向の一部にケーブルを通し得る開口幅の切欠部が形成された周壁部に結合する支持壁を有する複数個のケーブル挿通ユニットと、これらケーブル挿通ユニットを連結するための複数個の連結具とを備え、前記ケーブル挿通ユニットは前記支持壁の一側上部と他側下部とに連結孔を有し、前記連結具は上下端に前記連通孔を通過し通過後拡張して抜止めとなる弾性係止片を有してなり、上位のケーブル挿通ユニットの下部の連結孔と下位のケーブル挿通ユニットの上部の連結孔とが同位相になるよう互い違いにして前記連結具により連結したことを特徴とする。
【０００７】
こうしたことにより、テーブルの下面と床面との間の寸法に応じて適当数のケーブル挿通ユニットを連結具により連結し、各ケーブル挿通ユニット間を縮めた状態としてケーブルを挿通したのち最上段のケーブル挿通ユニットを適宜テーブル下面に取付ければ、ケーブルは各ケーブル挿通ユニットの周壁部内に保持され、多数本のケーブルを集束することができ、そのまま垂らせば各連結具による連結部分で伸長してテーブル下面に懸吊される。
【０００８】
またテーブル下面と床面との間の寸法に応じ連結具が連結孔内を摺動して対応し、任意に調整される。
【０００９】
前記ケーブル挿通ユニットの周壁部の下端が下位のケーブル挿通ユニットの周壁部の上端内に嵌合するようテーパーを付せば、前述のように短縮状態でケーブルを挿通するとき内部で引掛けることなくスムーズに通すことができるので好ましい。
【００１０】
前記連結孔を外端に向け拡開するテーパー孔とし、前記連結具の傾きを許容するようにすれば、テーブル側からケーブルが出る位置と床側のコンセントの位置とが大幅にずれていてもそれに対応することができる。
【００１１】
最上位のケーブル挿通ユニットに連結する連結具の上端に、テーブル下面の係止部に係合し得るフックユニットを設ければ、ケーブルガイドの取付けを容易とすることができるので好ましい。また最下位のケーブル挿通ユニットに連結する連結具の下端に連結して床面上に定値される端末ユニットを設ければ、ケーブルガイドの下端を床面上に安定した状態におくことができる。
【００１２】
【発明の実施の形態】
以下、本発明を図面に示す実施の形態を参照して説明する。
【００１３】
図１は本発明によるケーブルガイドを構成するための一つのケーブル挿通ユニット１の外観を示し、図２は同平面図を、図３（Ａ）は図２のＡ−Ａ線、同（Ｂ）は同じくＢ−Ｂ線における各断面図を示している。
【００１４】
上記ケーブル挿通ユニット１は、平面視楕円形の円環状を有し、その長径端にケーブルを通し得る開口幅の切欠部２，２を有する周壁部３と、その短径線上で前記周壁部３を結合する支持壁４とを備え、前記支持壁４の一側面の中央上部と他側面の中央下部とに連結孔５，６が形成されており、前記周壁部３の内周面３ａおよび外周面３ｂはやや下すぼまりのテーパー面とされていて、上位のケーブル挿通ユニット１の下端が下位のケーブル挿通ユニット１の上部に若干の深さにわたり嵌合し得る形態とされている。なおこの嵌合手段はテーパーによらず、印ろう嵌合によるものであってもよい。
【００１５】
前記連結孔５，６は、水平断面形状が細長矩形状とされ、その長手方向両端部内面が、図３（Ｂ）にみられるように上部の連結孔５においては上方に向け拡開され、下部の連結孔６においては下方に向け拡開されたテーパー孔とされている。
【００１６】
連結具７は、図４に正面図を、図５に側面図を示し、図６（Ａ）に断面図を示すように、全体として前記連結孔５，６に挿通し得る幅および厚みを有する縦長矩形状を有するもので、その上端部および下端部近傍には前記連結孔５，６を通過可能で通過後抜止めとなる弾性係止片８，８を有している。
【００１７】
図示の実施形態では連結具７を樹脂製とし、その上下部に該連結具７の端部側を支点として揺動可能なように弾性係止片８，８が型抜きされて形成され、その外面には連結具７の端部側から登り傾斜するテーパー突部９，９が形成されていて、前記連結孔５，６に挿入したとき該突部９，９が連結孔５，６の内面により押されて退没し、通過後突出して連結孔５，６の外端部に係合することにより抜止めされるように形成されている。
【００１８】
図９はテーブルの天板１０の下面に最上位のケーブル挿通ユニット１の取付けを容易にするためのフックユニット１１を設けた場合を示し、図１０（Ａ）にその断面図を、同（Ｂ）に（Ａ）のＣ−Ｃ相当の断面図を示している。
【００１９】
上記フックユニット１１は上端にフック部１２を有し、基部１１ａに前記連結具７の上端が嵌入し得る連結孔１３とその一側に前記テーパー状突部９が嵌入して抜止めする係合孔１４とが形成されている。
【００２０】
上記フック部１２は、例えば図９のようにテーブルの天板１０にケーブル挿通用の孔を構成するよう該天板１０に嵌着される筒状部材１５の下端に形成された係止部１６に引掛けるようにされる。
【００２１】
図１１はケーブルガイドの下端を床上に安定しておかれるようにするための端末ユニット１７の平面図を示し、図１２（Ａ）は図１１のＤ−Ｄ線、同（Ｂ）は同じくＥ−Ｅ線における各断面図を示している。
【００２２】
上記端末ユニット１７は、比較的重量を負荷する意味でゴム材等により構成された円錐形状を有し、その頂点位置から前記ケーブル挿通ユニット１の連結孔５，６と同高の連結孔１８が形成され、この連結孔１８から端末ユニット１７の下面１７ａにかけてはこの連結孔１８よりも大きい下広がり孔１９とされている。
【００２３】
次に前記ケーブル挿通ユニット１の連結の仕方について図７（Ａ），（Ｂ）を参照して説明する。
【００２４】
上位に位置するケーブル挿通ユニット１の支持壁４の下側の連結孔６に連結具７の一端をそのテーパー突部９が支持壁４に対し反対側に位置するようにして挿入すれば、そのテーパー突部９を有する弾性係止片８が撓んで連結孔６を通過し、テーパー突部９が連結孔６を通過し終えたとき弾性係止片８が自己の弾性により復元してそのテーパー突部９の端面が連結孔６の上端縁に係合し、抜止めされる。
【００２５】
上記連結具７の他端を次位のケーブル挿通ユニット１の上側の連結孔５に前記と同様の向きとして挿入すれば、その弾性係止片８が通過して前記と同様に突部９が連結孔５の下端縁に係合して抜止めされる。
【００２６】
これにより上下のケーブル挿通ユニット１，１は連結具７により連結される。
【００２７】
三番目のケーブル挿通ユニット１についても前記と同様にして連結具７により連結し、次後必要な個数のケーブル挿通ユニット１，１…を互い違いの向きとして順次連結することにより図７（Ａ）に断面図で示すようにケーブルガイドが構成される。
【００２８】
上記の構成により、各連結具７，７…は連結孔５，６に対し摺動自在であり、各ケーブル挿通ユニット１，１…を押し縮めるようにすれば図７（Ｂ）に示すようにケーブルガイドとしての長さを任意に短縮することができる。
【００２９】
テーブルの天板１０の下面に取付けるようにするには、前記図９に一例を示したように最上位のケーブル挿通ユニット１の上側の連結孔５に挿着した連結具７の上端にフックユニット１１の連結孔１３に挿通してそのテーパー突部９を係合孔１４に係合させればフックユニット１１がケーブル挿通ユニット１に取付いた状態となり、このフックユニット１１のフック部１２を天板１０の下面に設けた適宜な係止部１６に引掛けることによりケーブルガイドを天板１０に懸吊支持することができる（図１３に懸吊状態を示す。）。
【００３０】
またケーブルガイドを安定させたいときは、最下位のケーブル挿通ユニット１の下側の連結孔６に連結具７の上端を挿通してそのテーパー突部９により抜止めしたうえその連結具７の下端を端末ユニット１７の連結孔１８に挿通し、そのテーパー突部９により抜止めされて取付けられる。この端末ユニット１７の下面を床面に接地させることによりケーブルガイドがふらつくことなく安定した状態におくことができる。
【００３１】
テーブルの天板１０のケーブル挿通箇所と床側のケーブル引出し箇所とが若干ずれていても連結孔５，６と連結具７との嵌合部のゆるみによりケーブルガイドを撓ませて対応することができるが、図示実施形態のように連結孔５，６の端部にテーパーを付しておけば位置ずれの方向に連結具７，７…の面が平行するようにすることにより図８に示すようにケーブルガイドを大きく湾曲させることができ、前記の位置ずれが大きくてもこれに対応することができる。
【００３２】
ケーブルガイドにケーブルを通すには、各ケーブル挿通ユニット１，１…を図７（Ｂ）のように短縮させた状態として上方からケーブルを挿入すれば、各ケーブル挿通ユニット１，１…が密着した状態におかれているので途中で引掛けることなく迅速に挿通することができる。また使用途上でケーブルを追加挿入したいときは、各ケーブル挿通ユニット１，１…の周壁部３の切欠部２，２からケーブルを嵌め込むように挿入すれば、各ケーブルはケーブル挿通ユニット１，１…の周壁部３内に納まり、ばらけることなく集束することができる。
【００３３】
なお図示の実施形態のようにケーブル挿通ユニット１を楕円形乃至は長円形状とすればケーブルの収容スペースを大きくとれるうえで好ましいが、必ずしもこらの形状に限定される必要はない。また連結具の一つの一端にフックを形成したものを用意すれば、前述のフックユニット１１を用いずともよい。
【００３４】
【発明の効果】
以上説明したように本発明によれば、リング状をなすケーブル挿通ユニットを連結具により連結してケーブルガイドを構成するようにしたので、その長さを任意に選定することができるとともにケーブルはケーブル挿通ユニットを短縮させた状態として上方から挿通することによりケーブルガイド内に途中で引掛けることなく納めることができ、挿通後はテーブルの高さに応じて伸長させることができる。
【００３５】
またケーブルをケーブルガイドに通したのちは、ケーブルはケーブル挿通ユニットの周壁部により保持されるのでばらつくことがなく、外観上もすっきりしたものとなり、オフィスの景観を整えることができる。
【００３６】
請求項３のようにケーブル挿通ユニットの連結孔の端部にテーパーを付すことによりテーブル側のケーブル挿通位置と床側のケーブル引出し位置とが大きくずれている場合にも容易に対応することができる。
【００３７】
請求項４のように最上位のケーブル挿通ユニットにフックユニットを取付けるようにすれば、テーブル下面の適宜な係止部に引掛けるだけでケーブルガイドを取付けることができ、その取付けを容易にすることができる。
【００３８】
さらに請求項５のように端末ユニットを設ければ、ケーブルガイドの下端を安定した状態におくことができる。
【図面の簡単な説明】
【図１】本発明におけるケーブル挿通ユニットの一実施形態を示す斜視図。
【図２】同、平面図。
【図３】（Ａ）は図２のＡ−Ａ断面図、（Ｂ）は同Ｂ−Ｂ断面図。
【図４】本発明における連結具の一実施形態を示す正面図。
【図５】同、側面図。
【図６】（Ａ）は図４の縦断面図、（Ｂ）は同、下端の部分拡大断面図。
【図７】本発明によるケーブルガイドを示し、（Ａ）は伸長時、（Ｂ）は短縮時の断面図。
【図８】図７のケーブルガイドを撓ませた状態の一部を断面とした側面図。
【図９】フックユニットを取付けた状態を示し、テーブルの係合部に引掛けて懸吊した状態の一部の正面図。
【図１０】図９のフックユニットを示し、（Ａ）は縦断面図、（Ｂ）は（Ａ）のＣ−Ｃ相当の断面図。
【図１１】端末ユニットの平面図。
【図１２】（Ａ）は図１１のＤ−Ｄ線、（Ｂ）は同Ｅ−Ｅ線断面図。
【図１３】デスクにケーブルガイドを懸吊した状態を示す説明図。
【符号の説明】
１  ケーブル挿通ユニット
２  切欠部
３  周壁部
４  支持壁
５，６，１３，１８  連結孔
７  連結具
８  弾性係止片
９  テーパー突部
１０  テーブル天板
１１  フックユニット
１２  フック部
１４  係合孔
１６  係止部
１７  端末ユニット
【図１】
0004201938.tif 000002
【図２】
0004201938.tif 000003
【図３】
0004201938.tif 000004
【図４】
0004201938.tif 000005
【図５】
0004201938.tif 000006
【図６】
0004201938.tif 000007
【図７】
0004201938.tif 000008
【図８】
0004201938.tif 000009
【図９】
0004201938.tif 000010
【図１０】
0004201938.tif 000011
【図１１】
0004201938.tif 000012
【図１２】
0004201938.tif 000013
【図１３】
0004201938.tif 000014